(57)【要約】      （修正有）【課題】寸法安定性及び耐クラック性が向上され、更には、耐クラック進展性に優れたシュープレス用ベルトを提供する。【解決手段】シュープレス用ベルトは、樹脂部材と、該樹脂部材内に埋設されたシュープレス用ベルト基布Ａと、を備え、シュープレス用ベルト基布Ａは、経糸１０及び緯糸２０を有する経４重織構造である。シュープレス用ベルト基布Ａは経糸１０及び緯糸２０を有する経４重織構造であって、経糸１０は、上下４層に、第１層経糸１１、第２層経糸１２、第３層経糸１３及び第４層経糸１４の順で配置された４種を有し、且つ、緯糸２０は、隣り合った経糸で形成された隣接２糸間のうちのいずれか１箇所にのみ配置された１本のみのストレート緯糸２５と、経糸２０を織り込んでいる屈曲緯糸２１と、を有し、且つ、上記ストレート糸２５と隣接する２本の経糸１２、１３は、ナイロン糸である。【選択図】図１
2011089229.tif 000002
【特許請求の範囲】
【請求項１】
樹脂部材と、該樹脂部材内に埋設されたシュープレス用ベルト基布と、を備えるシュープレス用ベルトであって、
上記シュープレス用ベルト基布は、経糸及び緯糸を有する経４重織構造であり、
上記経糸は、上下４層に、第１層経糸、第２層経糸、第３層経糸及び第４層経糸の順で配置された４種を有すると共に、
上記緯糸は、隣り合った上記経糸で形成された隣接２糸間のうちのいずれか１箇所にのみ配置された１本のみのストレート緯糸と、上記経糸を織り込んでいる屈曲緯糸と、を有し、且つ、上記経糸のうち上記ストレート緯糸と隣接する２本の経糸は、ナイロン糸であることを特徴とするシュープレス用ベルト。
【請求項２】
上記屈曲緯糸は、樹脂加工された撚糸である請求項１に記載のシュープレス用ベルト。
【請求項３】
上記屈曲緯糸は、ナイロン又はポリエステルのモノフィラメントである請求項１に記載のシュープレス用ベルト。
【請求項４】
上記第１層経糸及び上記第４層経糸のうちの少なくとも一方は、樹脂加工されたポリエステル糸である請求項１乃至３のうちのいずれかに記載のシュープレス用ベルト。
【請求項５】
上記ストレート緯糸と隣接する２本の経糸は、線径０．１０〜０．５０ｍｍのナイロン糸である請求項１乃至４のうちのいずれかに記載のシュープレス用ベルト。
【請求項６】
上記ストレート緯糸は、樹脂加工されたポリエステル糸である請求項１乃至５のうちのいずれかに記載のシュープレス用ベルト。
【発明の詳細な説明】
【技術分野】
【０００１】
本発明は、シュープレス用ベルトに関する。更に詳しくは、寸法安定性及び耐クラック性が向上され、更には、耐クラック進展性に優れたシュープレス用ベルトに関する。
【背景技術】
【０００２】
抄紙機において湿紙の脱水を行うプレスパートではシューを用いたシュープレス装置が多く利用されている。近年、製紙効率向上の観点から、製紙工程の更なる高速化が進められ、シューと当接して走行するシュープレス用ベルト（以下「ベルト」ともいう。）に対する負荷が増大し、過酷な条件下でベルトが使用されている。
その結果、繰り返し圧縮によりベルトを構成する基布が扁平化して糸の屈曲の程度が低下し、ベルトに寸法変化が生じやすくなっている。寸法変化が生じると、ベルトの回転状態の安定性に欠ける不都合を生ずる。
また、上記過酷な条件下では、シュープレス用ベルト基布（以下「基布」ともいう。）を埋設、被覆している樹脂にもクラックが生じやすくなる。
【０００３】
従来のシュープレス用ベルト基布は、例えば、図６に示すように、樹脂部材３０の溝部３１では、緯糸２１と第１層経糸１１の交点部４１から溝底部３１ａまでが接近しており、その間の樹脂部材３０に応力が集中し、クラック３２が生じやすい。
また、図６に示すように、緯糸２１と２層目経糸１２も交点部４２では、両者の摩擦により、緯糸２１ａのフィブリル化（分化）が生じやすく、その上部の樹脂３０を支える力が弱くなって、樹脂部材３０の溝底部３１ｂにクラック３４が生じやすいクラックを生ずると、十分な脱水効果が得られず、ベルトを交換する必要がある。なお、上記実例は、フェルト側（湿紙側）であるが、シュー側においてもクラックを生ずるとシューからベルトへの潤滑油の滲出という問題を生ずるため、クラックを防止する必要がある。
【０００４】
上記問題を解決するため、上下５層に配置された経糸を備える基布が提案されている。この基布であれば、経糸方向の寸法安定性に優れることができる（例えば、特許文献１参照）。また、樹脂部材のクラックの発生を防止するために、ポリアミド系の樹脂を用いた糸からなる基布が提案されている。ポリアミド系の樹脂であれば、伸縮性に富むため、樹脂部材を安定して支持することができ、クラックの発生を効果的に防ぐことができる（例えば、特許文献２参照）。
【先行技術文献】
【特許文献】
【０００５】
【特許文献１】特開２００４−１９７２４７号公報
【特許文献２】特開２００７−２３９１３２号公報
【発明の概要】
【発明が解決しようとする課題】
【０００６】
ここで、更に基布層を薄くし、樹脂部材の厚さを十分確保することができれば、フェルト側溝部の形成が容易となり、より一層、ベルトの強度を大きくすることが可能となる。
また、基布層が、伸縮性に富むとともに、更に樹脂部材を安定して支持することができれば、クラックの発生を効果的に防ぐことができる。
【０００７】
本発明は、上記の従来の問題を解決するものであり、寸法安定性及び耐クラック性が向上され、更には、耐クラック進展性に優れたシュープレス用ベルトを提供することを目的とする。
【課題を解決するための手段】
【０００８】
本発明は、以下の通りである。
（１）樹脂部材と、該樹脂部材内に埋設されたシュープレス用ベルト基布と、を備えるシュープレス用ベルトであって、
上記シュープレス用ベルト基布は、経糸及び緯糸を有する経４重織構造であり、
上記経糸は、上下４層に、第１層経糸、第２層経糸、第３層経糸及び第４層経糸の順で配置された４種を有すると共に、
上記緯糸は、隣り合った上記経糸で形成された隣接２糸間のうちのいずれか１箇所にのみ配置された１本のみのストレート緯糸と、上記経糸を織り込んでいる屈曲緯糸と、を有し、且つ、上記経糸のうち上記ストレート緯糸と隣接する２本の経糸は、ナイロン糸であることを特徴とするシュープレス用ベルト。
（２）上記屈曲緯糸は、樹脂加工された撚糸である（１）に記載のシュープレス用ベルト。
（３）上記屈曲緯糸は、ナイロン又はポリエステルモノフィラメントである（１）に記載のシュープレス用ベル。
（４）上記第１層経糸及び上記第４層経糸のうちの少なくとも一方は、樹脂加工されたポリエステル糸である（１）乃至（３）のうちのいずれかに記載のシュープレス用ベルト。
（５）上記ストレート緯糸と隣接する２本の経糸は、線径０．１０〜０．５０ｍｍのナイロン糸である（１）乃至（４）のうちのいずれかに記載のシュープレス用ベルト。
（６）上記ストレート緯糸は、樹脂加工されたポリエステル糸である（１）乃至（５）のうちのいずれかに記載のシュープレス用ベルト。
【発明の効果】
【０００９】
本発明のシュープレス用ベルトによれば、そのシュープレス用ベルトに用いられる基布の上下４層に、配置された経糸と、隣り合う２種の上記経糸間に配置された１本のみのストレート緯糸と、を備え、更に上記ストレート糸と隣接する２本の経糸は、ナイロン糸であるため、寸法安定性と耐クラック性に優れると共に、ストレート緯糸との摩擦を低減することができる。
更に、上記屈曲緯糸が、樹脂加工された撚糸であれば、樹脂加工により糸同士の摩擦を低減させることができ、隣接する経糸と擦れ合っても経糸に与える損傷を少なくすることができる。このため樹脂層にクラックが入るのを効果的に防ぐことができる。
また、上記屈曲緯糸が、ナイロンモノフィラメントであれば、伸縮性、低摩擦性に優れるため、隣接する経糸と擦れ合っても経糸に与える損傷を少なくすることができる。経糸に与える損傷を少なくできれば、樹脂層にクラックが入るのを効果的に防ぐことができる。上記屈曲緯糸が、ポリエステルモノフィラメントであれば、より寸法安定性と耐クラック性に優れることができる。
また、上記第１層経糸及び上記第４層経糸のうちの少なくとも一方が、樹脂加工されたポリエステル糸であれば、より寸法安定性と耐クラック性に優れることができる。
更に、上記ストレート緯糸と隣接する２本の経糸が、線径０．１０〜０．５０ｍｍのナイロンモノフィラメントあるいは樹脂加工されたナイロン糸であれば、基布層の厚さを更に薄くすることができる。
また、上記ストレート緯糸が、樹脂加工されたポリエステル糸であれば、より寸法安定性と耐クラック性に優れることができる。
【図面の簡単な説明】
【００１０】
【図１】シュープレス用ベルト基布の一例の緯方向断面を示す説明図である。
【図２】シュープレス用ベルト基布の他例の緯方向断面を示す説明図である。
【図３】シュープレス用ベルト基布の更に他例の緯方向断面を示す説明図である。
【図４】シュープレス用ベルト基布の従来例の緯方向断面を示す説明図である。
【図５】シュープレス用ベルトの耐久性を試験するための装置の模式図である。
【図６】シュープレス用ベルトの従来例の緯方向断面におけるクラックの発生を示す説明図である。
【発明を実施するための形態】
【００１１】
以下図１〜３を参照しながら本発明を詳しく説明する。尚、本発明は、かかる図に記載された具体例に示すものに限られず、目的、用途に応じて種々変更したものとすることができる。
【００１２】
本発明のシュープレス用ベルトは、樹脂部材と、該樹脂部材内に埋設されたシュープレス用ベルト基布と、を備えるシュープレス用ベルトであって、上記シュープレス用ベルト基布は、経糸及び緯糸を有する経４重織構造であり、上記経糸は、上下４層に、第１層経糸、第２層経糸、第３層経糸及び第４層経糸の順で配置された４種を有すると共に、上記緯糸は、隣り合った上記経糸で形成された隣接２糸間のうちのいずれか１箇所にのみ配置された１本のみのストレート緯糸と、上記経糸を織り込んでいる屈曲緯糸と、を有し、且つ、上記経糸のうち上記ストレート緯糸と隣接する２本の経糸は、ナイロン糸であることを特徴とする。
【００１３】
本発明のシュープレス用ベルトに用いられる基布の例を図１〜３に示す。
図１に示す基布Ａは、第１層経糸１１、第２層経糸１２、第３層経糸１３及び第４層経糸１４の順で配置された経糸１０と、これらの経糸１０に対する緯糸２０と、を備えた経４重織構造であって、緯糸２０は、隣り合った経糸１２と経糸１３とで形成された隣接２糸間にのみ配置された１本のみのストレート緯糸２５と、上記経糸を織り込んでいる屈曲緯糸２１と、を有し、且つ、ストレート糸２５と隣接する２本の経糸１２、１３は、ナイロン糸である。
また、図２に示す基布Ｂは、隣り合った第１経糸１１と第２経糸１２とで形成された隣接２糸間にストレート緯糸２５が配置されていること以外は、基布Ａと同様である。
更に、図３に示す基布Ｃ〜Ｅは、隣り合った第３経糸１３と第４経糸１４とで形成された隣接２糸間にストレート緯糸２５が配置されていること以外は、基布Ａと同様である。
【００１４】
（１）経糸
上記「経糸」は、上下４層に、第１層経糸１１、第２層経糸１２、第３層経糸１３及び第４層経糸１４の順で配置されている。十分な経強度を得るため、経４重織構造とする。
経糸のうちの２本は、ストレート緯糸２５と隣接したナイロン糸である（以下、単に「隣接ナイロン経糸」ともいう）。また、残りの２本はストレート緯糸２５と隣接しない経糸である（以下、単に「非隣接経糸」ともいう）。更に、経糸のうち第１層経糸１１及び第４層経糸１４のうち一方はフェルト側の経糸を構成し、他方がシュー側の経糸を構成する。
【００１５】
（１−１）隣接ナイロン経糸
隣接ナイロン経糸はストレート緯糸２５と隣接したナイロン糸である。即ち、ストレート緯糸２５が第１層経糸１１及び第２層経糸１２に隣接する場合（図２参照）は、第１層経糸１１及び第２層経糸１２がナイロン糸である。また、ストレート緯糸２５が第２層経糸１２及び第３層経糸１３に隣接する場合（図１参照）は、第２層経糸１２及び第３層経糸１３がナイロン糸である。更に、ストレート緯糸２５が第３層経糸１３及び第４層経糸１４に隣接する場合（図３参照）は、第３層経糸１３及び第４層経糸１４がナイロン糸である。
ナイロン糸は伸縮性及び強度に優れると共に、隣接糸との摩擦を低減できる。このため、隣接経糸をナイロン糸にすることで、ストレート緯糸２５の損傷を抑制し、結果的に、屈曲緯糸２１のフィブリル化を防いで、樹脂部材のクラックを抑制できる。
【００１６】
隣接ナイロン経糸は、ポリアミド系樹脂を含む糸であれば特に限定なく用いられる。ポリアミド系樹脂とは、ポリアミド構造を有する樹脂である。即ち、例えば、ナイロン６６、ナイロン６、ナイロン１２、ナイロン１１、ナイロン６１０、ナイロン６１２等が挙げられる。これらは１種のみを用いてもよく２種以上を併用してもよい。
また、ポリアミド系樹脂には、共重合体（ポリアミド系樹脂にポリエーテルを共重合したブロックポリエーテルアミド系樹脂等）、及び、ブレンド物（ポリアミド系樹脂とブロックポリエーテルアミド系樹脂のブレンド物等）などが含まれる。
【００１７】
尚、前記ブロックポリエーテルアミド系樹脂としては、ポリアミド形成性モノマーとジカルボン酸との重縮合によって得られる両末端にカルボキシル基を有するポリアミドと、末端アミノポリオキシアルキレン、及び脂肪族ジアミン又は脂環族ジアミン、芳香族ジアミンから選ばれるジアミンを重縮合させることによって得られるブロックポリエーテルアミド系樹脂（特公昭６３−５５５３５号公報）が挙げられる。
【００１８】
また、隣接ナイロン経糸は、モノフィラメント及びマルチフィラメントを問わない。
隣接ナイロン経糸として、モノフィラメントを用いる場合は、線径が小さくできるため、基布全体を薄くできる。また、隣接ナイロン経糸はストレート緯糸２５の保護を主目的とするため、線径を小さくしても目的を十分達成できる。隣接ナイロン経糸として、モノフィラメントを用いる場合、その線径は特に限定されないが、各々独立に０．１〜０．５ｍｍであることが好ましく、０．２０〜０．４０ｍｍであることが更に好ましく、０．２５〜０．３５ｍｍあることが特に好ましい。
【００１９】
一方、隣接ナイロン経糸としてマルチフィラメントを用いる場合、このマルチフィラメントは無撚糸及び撚糸を問わない。無撚糸であれば糸が扁平化し、基布全体の厚さを薄くすることができるため、樹脂層を厚くでき、耐クラック性を向上させることができる。また、撚糸であればより強度的に安定し、経方向の寸法安定性に優れることができる。
【００２０】
尚、上記マルチフィラメントが撚糸である場合、その構成は特に限定されない。即ち、例えば、（１）モノフィラメントを引き揃えた２本以上のマルチフィラメント原糸を撚り合わせてなるマルチフィラメント撚糸、（２）２本以上のマルチフィラメント撚糸（原糸）を撚り合わせてなるマルチフィラメント撚糸、（３）モノフィラメントを引き揃えた１本のマルチフィラメント原糸を撚ってなるマルチフィラメント撚糸、等が挙げられる。これらのなかでは上記（１）及び上記（２）が好ましい。即ち、２本以上のマルチフィラメント原糸を用いたマルチフィラメント撚糸が好ましい。用いるマルチフィラメント原糸の数は２本以上であればよく特に限定されないが、２〜５本が好ましく、２〜４本がより好ましい。
【００２１】
上記隣接ナイロン経糸がマルチフィラメント撚糸である場合、このマルチフィラメント撚糸を構成するマルチフィラメント原糸｛特に前記（２）のマルチフィラメント撚糸を構成するマルチフィラメント原糸（撚糸）｝の繊度は、各々独立に２００〜２０００デニールが好ましく、３００〜１５００デニールであることが更に好ましく、４００〜１０００デニールであることが特に好ましい。
【００２２】
（１−２）非隣接経糸
非隣接経糸は、上記第１層経糸〜第４層経糸のうち、隣接ナイロン経糸以外の経糸である。この非隣接経糸を構成する材料は特に限定されず、例えば、ビニル系樹脂（疎水化ポリビニルアルコール樹脂等、特にビニロン）、ポリアミド系樹脂｛脂肪族ポリアミド樹脂（ナイロン等）、芳香族ポリアミド樹脂（パラフェニレンジアミンとテレフタル酸との重合体など）｝、ポリエステル系樹脂、ポリオレフィン系樹脂（ポリエチレン樹脂、ポリプロピレン樹脂、ポリブタジエン樹脂等）、ポリフェニレンサルファイド樹脂（ＰＰＳ）等が挙げられる。
これらは１種のみを用いてもよく、２種以上を併用してもよい。これらのなかでポリエステル系樹脂又はポリアミド系樹脂が好ましい。
【００２３】
即ち、例えば、ストレート緯糸２５が第２層経糸１２と第３層経糸１３に隣接している場合（図１参照）は、（１）第１層経糸１１及び第４層経糸１４の両方にポリエステル系樹脂を用いることができる。また、（２）第１層経糸１１にポリエステル系樹脂を用い、且つ、第４層経糸１４にポリアミド系樹脂を用いることができる。更に、（３）第１層経糸１１にポリアミド系樹脂を用い、且つ、第４層経糸１４にポリエステル系樹脂を用いることができる。また、（４）第１層経糸１１及び第４層経糸１４の両方にポリアミド系樹脂を用いることができる。
【００２４】
上記非隣接経糸にポリエステル系樹脂を用いた場合は、形態安定性に優れた経糸となり、経方向の寸法安定性に優れたベルトが得られる。一方、上記非隣接経糸にポリアミド系樹脂を用いた場合は、伸縮性及び低摩擦性に優れた経糸となり、隣接ナイロン経糸と同様に、屈曲緯糸２１のフィブリル化を防いで、樹脂部材のクラックを抑制できる。
【００２５】
上記非隣接経糸の材料としてのポリアミド系樹脂については、隣接ナイロン経糸材料としてのポリアミド系樹脂の説明をそのまま適用できる。
一方、上記非隣接経糸の材料としてのポリエステル系樹脂は、ジカルボン酸とグリコールとからなるポリエステルが好ましい。このうちジカルボン酸成分としては、テレフタル酸、２，６−ナフタレンジカルボン酸、イソフタル酸、１，４−シクロヘキサンジカルボン酸等が挙げられる。また、グリコール成分としては、エチレングリコール、プロピレングリコール、テトラメチレングリコール、１，４−シクロヘキサンジメタノール等が挙げられる。これらのジカルボン酸成分及びグリコール成分は各々１種のみを用いてもよく２種以上を併用してもよい。
即ち、上記ポリエステル系樹脂としては、ポリエチレンテレフタレート（ＰＥＴ）、ポリプロピレンテレフタレート、ポリブチレンテレフタレート（ＰＢＴ）、ポリエチレンナフタレート等が挙げられる。これらの中でも特にポリエチレンテレフタレート（ＰＥＴ）が好ましい。
また、ポリエステル系樹脂は単独でも用いてもよく、これらの共重合体を用いてもよく、これらのブレンド物を用いてもよい。更に、ポリエステル系樹脂に他のモノマーとの共重合体や、他の樹脂とのブレンド物等を用いることができる。
【００２６】
更に、非隣接経糸は、マルチフィラメント、モノフィラメントのいずれを用いてもよい。マルチフィラメントの構成及び撚りについては、前記隣接ナイロン経糸におけるマルチフィラメントの説明をそのまま適用できる。但し、非隣接経糸としてマルチフィラメント撚糸を用いる場合、このマルチフィラメント撚糸を構成するマルチフィラメント原糸｛特に前記（２）のマルチフィラメント撚糸を構成するマルチフィラメント原糸（撚糸）｝の繊度は、各々独立に１０００〜２０００デニールが好ましく、１２００〜１８００デニールであることが更に好ましく、１４００〜１６００デニールであることが特に好ましい。更に、このマルチフィラメント撚糸はポリエステル系樹脂を用いたものであることが好ましい。
【００２７】
また、非隣接経糸としてマルチフィラメント糸を用いる場合は、樹脂加工を施すことができる。樹脂加工は糸表面の摩擦を低減する加工である。この樹脂加工の種類及び処理方法は特に限定はないが、例えば、ＲＦＬ液（レゾルシン−ホルマリン−ラテックス液）の付与により樹脂加工することができる。ＲＦＬ液の組成は特に限定されないが、例えば、ＲＦＬ液全体を１００重量％とした場合に、レゾルシンが０．１〜１０重量％、ホルマリンが０．１〜１０重量％、ラテックスが１〜２８重量％となるＲＦＬ液が好ましい。
【００２８】
マルチフィラメント糸に対するＲＦＬ液を用いた樹脂加工は、マルチフィラメント糸にＲＦＬ液を付与した後、加熱してＲＦＬ液を乾燥及び定着させて行うことができる。この加熱に際しては、ヒートセットとノルマライジングとからなり、それぞれ加熱オーブンの中に搬送ローラが設けられた構成からなり、公知の設備がいずれも使用可能である。即ち、ＲＦＬ液付与後のマルチフィラメント糸を、ヒートセット・ゾーンとノルマライジング・ゾーンを通過することにより樹脂加工されたマルチフィラメント糸が得られる。
【００２９】
一方、非隣接経糸としてモノフィラメントを用いることもできる。非隣接経糸としてモノフィラメントを用いる場合は、特に線径の大きなポリアミドモノフィラメントとすることが好ましい。このポリアミドモノフィラメント（特にナイロンモノフィラメントが好ましい）の線径は０．１〜０．５ｍｍが好ましく、０．２〜０．４ｍｍが更に好ましく、０.２５〜０．３５ｍｍが特に好ましい。
【００３０】
前記非隣接経糸における各種の態様のなかでも、マルチフィラメントが好ましい。非隣接経糸としてマルチフィラメントを用いた場合は、強度的に安定し、経方向の寸法安定性に優れることができる。また、マルチフィラメントとした場合、撚糸又は無撚糸（非撚糸）のいずれでもよいが、撚糸であることが好ましい。マルチフィラメント撚糸とすることによって、特に、経方向の寸法安定性に優れることができる。更に、その材質はポリエステル系樹脂が好ましい。
【００３１】
（２）緯糸
上記「緯糸」は、隣り合った上記経糸で形成された隣接２糸間のうちのいずれか１箇所にのみ配置された１本のみのストレート緯糸２５と、上記経糸を織り込んでいる屈曲緯糸２１と、を有する。
【００３２】
（２−１）ストレート緯糸
ストレート緯糸２５は、隣り合ったナイロン経糸で形成された隣接２糸間のうちのいずれか１箇所にのみ配置された１本のみの糸をいう。また、「ストレート」とは、緯方向に屈曲することなく略直線的に伸びていることを意味する。即ち、屈曲緯糸のように経糸を織り込む形態で利用されていない糸である。
ストレート緯糸２５は、隣接ナイロン経糸間のうちのいずれか１箇所にのみ配置されていれば、特に限定されず、例えば、図１に示す基布Ａでは、ストレート緯糸２５は、第２層経糸１２と第３層経糸１３との間に配置されている。また、図２に示す基布Ｂでは、第１層経糸１１と第２層経糸１２との間に配置されている。更に、図３に示す基布Ｃ、Ｄ、Ｅでは、第３層経糸１３と第４層経糸１４との間に配置されている。このようにストレート緯糸２５の配置は、目的、用途に応じたものに設定することができる。
【００３３】
ストレート緯糸を構成する材料は特に限定されないが、緯方向の伸縮を抑制するために十分な強度を有する材料であることが好ましく、例えば、ビニル系樹脂（疎水化ポリビニルアルコール樹脂等、特にビニロン）、ポリアミド系樹脂｛脂肪族ポリアミド樹脂（ナイロン等）、芳香族ポリアミド樹脂（パラフェニレンジアミンとテレフタル酸との重合体など）｝、ポリエステル系樹脂、ポリオレフィン系樹脂（ポリエチレン樹脂、ポリプロピレン樹脂、ポリブタジエン樹脂等）、ポリフェニレンサルファイド樹脂（ＰＰＳ）等が挙げられる。これらは１種のみを用いてもよく２種以上を併用してもよい。
これらの中でも、ポリエステル系樹脂が好ましい。ポリエステル系樹脂については、前記非隣接経糸におけるポリエステル系樹脂についての説明をそのまま適用できる。
【００３４】
また、ストレート緯糸２５は、マルチフィラメントであってもよく、モノフィラメントであってもよいが、マルチフィラメントであることが好ましい。マルチフィラメントであれば、強度的に安定し、更に緯方向の寸法安定性に優れることができる。
更に、ストレート緯糸２５としてマルチフィラメントを用いる場合、このマルチフィラメントは撚糸でもよく、無撚糸でもよいが、撚糸がより好ましい。撚糸にすることによって、より強度的に安定し、緯方向の寸法安定性に更に優れることができる。また、撚糸を用いる場合、その構成するマルチフィラメント原糸｛特に前記（２）のマルチフィラメント撚糸を構成するマルチフィラメント原糸（撚糸）｝の繊度は、各々独立に８００〜１２００デニールが好ましく。９００〜１１００デニールであることが更に好ましく、９５０〜１０５０デニールであることが特に好ましい。
【００３５】
また、ストレート緯糸２５としてマルチフィラメントを用いる場合には、樹脂加工を施すことができる。この樹脂加工については、非隣接経糸における樹脂加工についての説明をそのまま適用できる。樹脂加工により、ストレート緯糸２５表面の滑りをよくし、摩擦を低減させることができ、磨耗及びフィブリル化を抑制できる。
これらの各種の選択肢のなかでも、ストレート緯糸２５は、樹脂加工されたポリエステルマルチフィラメントであることが特に好ましい。
【００３６】
（２−２）屈曲緯糸
上記屈曲緯糸２１は、経糸を織り込んで屈曲している緯糸２１である。即ち、ストレート緯糸２５が経糸を織り込んでいないのに対して、経糸を織り込んでいる緯糸である。即ち、屈曲緯糸２１は、図１〜３に示す基布Ａ〜Ｅにおいて共通に、緯糸２０のうちの経糸１０を織り込む緯糸２１であり、第１経糸１１との交点部４５及び第４経糸１４との交点部４６において各々屈曲された糸である。
【００３７】
屈曲緯糸２１は、特にその材質は特に限定はなく、ビニル系樹脂（疎水化ポリビニルアルコール樹脂等、特にビニロン）、ポリアミド系樹脂｛脂肪族ポリアミド樹脂（ナイロン等）、芳香族ポリアミド樹脂（パラフェニレンジアミンとテレフタル酸との重合体など）｝、ポリエステル系樹脂、ポリオレフィン系樹脂（ポリエチレン樹脂、ポリプロピレン樹脂、ポリブタジエン樹脂等）、ポリフェニレンサルファイド樹脂（ＰＰＳ）等が挙げられる。これらは１種のみを用いてもよく、２種以上を併用してもよい。
これらのなかでポリエステル系樹脂又はポリアミド系樹脂が好ましい。尚、ポリエステル系樹脂には、上記非隣接経糸における説明をそのまま適用でき、ポリアミド系樹脂には、上記隣接ナイロン経糸における説明をそのまま適用できる。
【００３８】
また、屈曲緯糸２１は、マルチフィラメントであってもよく、モノフィラメントであってもよい。マルチフィラメントを用いれば、強度的に安定し、緯方向の寸法安定性に優れ、モノフィラメントを用いれば、線径を小さくできるために基布全体を薄くできる。
【００３９】
このうち、屈曲緯糸２１としてマルチフィラメントを用いる場合、このマルチフィラメントは撚糸でもよく、無撚糸でもよいが、撚糸（撚り数は１インチ当たり２〜１０回）が好ましく、更には、甘撚り(撚り数は１インチ当たり２〜３回)の撚糸であることが特に好ましい。甘撚りの撚糸であれば、屈曲緯糸２１が扁平化して基布全体を薄くできる。
また、屈曲緯糸２１として、マルチフィラメントを用いる場合、マルチフィラメントを構成するマルチフィラメント原糸｛特に前記（２）のマルチフィラメント撚糸を構成するマルチフィラメント原糸（撚糸）｝の繊度は、各々独立に８００〜１２００デニールが好ましく、９００〜１１００デニールであることが更に好ましく、９５０〜１０５０デニールであることが特に好ましい。
更に、屈曲緯糸２１として、マルチフィラメントを用いる場合には、樹脂加工を施すことができる。この樹脂加工については、非隣接経糸における樹脂加工についての説明をそのまま適用できる。樹脂加工により、屈曲緯糸２１表面の滑りをよくし、摩擦を低減させることができ、磨耗及びフィブリル化を抑制できる。
また、屈曲緯糸２１としてマルチフィラメントを用いる場合、糸の材質はポリエステル系樹脂が好ましい。
【００４０】
一方、屈曲緯糸２１として、モノフィラメントを用いる場合は、その線径は０．１０〜０．４０ｍｍであることが好ましく、０．１２〜０．３０ｍｍであることが更に好ましく、０．１５〜０．２０ｍｍあることが特に好ましい。また、モノフィラメントを用いる場合の糸の材質はポリアミド系樹脂が好ましく、特にナイロンモノフィラメントを用いることが好ましい。
【００４１】
（３）経４重織構造
上記「経４重織構造」は、緯組織において経糸が上下４層に織られた構造をいう。経４重織構造であることにより、経方向の寸法安定性に優れる。
緯組織の構成は特に限定はないが、緯１重織とすることが好ましい。緯１重織であれば、２層目経糸が緯糸に挟まれるのを防ぐことができる。また、経方向は、屈曲糸のクリンプをなだらかにするために、綾織とすることが好ましい。この綾織の枚数は特に限定はないが、８〜１６枚綾であることが好ましく、１０〜１４枚綾であることが更に好ましく、１２〜１４枚綾であることが特に好ましい。
【００４２】
第１経糸〜第４経糸のメッシュ数は１４〜２０本／インチであることが好ましく、１５〜１９本／インチであることが更に好ましく、１６〜１８本／インチであることが特に好ましい。又、緯糸は２２〜３４本／インチであることが好ましく、２４〜３２本／インチであることが更に好ましく、２６〜３０本／インチであることが特に好ましい。
また、基布全体の厚さは、１．９〜２．５ｍｍであることが好ましく、２．０〜２．４ｍｍであることが更に好ましく、２．１〜２．３ｍｍであることが特に好ましい。
【００４３】
（４）樹脂部材
上記「樹脂部材」は、基布の最外面を構成する部分が埋設されていればよく、その他の部分における樹脂部材の有無は特に限定されないが、通常、基布全体が埋設されるように配置されるか、基布の厚さ方向におけるフェルト側のみに配置される。これらのうちでは前者が好ましい。即ち、基布が樹脂部材内に完全に埋設されていることが好ましい。
【００４４】
この樹脂部材を構成する樹脂は基布を含浸させて埋設できる樹脂であればよく特に限定されない。通常、所定処理前には基布を構成する経糸及び緯糸の間に行きわたりやすいように粘度の低い樹脂であり、所定の処理をすることで弾性のある樹脂部材となるものであることが好ましい。従って、通常、硬化されて弾性を発揮できる弾性樹脂を用いる。このような樹脂としては、ウレタン樹脂が挙げられる。
【００４５】
ウレタン樹脂は、１液タイプであってもよく、２液タイプであってもよいが、１液タイプであることが好ましい。また、硬化形式は特に限定されず、例えば、水硬化型ウレタン樹脂（ＮＣＯ末端を有するプレポリマーが水分と反応して硬化されたウレタン樹脂等）、加熱硬化型（イソシアネート基が保護基によって保護されたポリイソシアネートを含み、加熱によって保護基が解離して硬化されたウレタン樹脂等）、溶剤除去硬化型（重合された高分子化ポリウレタンを有機溶剤に溶解させた溶液から、有機溶剤を除去することで硬化されるウレタン樹脂等）、分散媒除去硬化型（水等の分散媒に乳化分散させたウレタンエマルジョンから分散媒を除去することで硬化されるウレタン樹脂等）などが挙げられる。これらは１種のみを用いてもよく、２種以上を併用してもよい。
また、ベルトを構成する樹脂部材のフェルト側を構成する表面には、排水効率を向上するための排水溝を備えることができる。
【実施例】
【００４６】
［１］実施例１
（１）シュープレス用ベルト基布
実施例１に係るシュープレス用ベルト基布Ａは、図１に示すように、経４重織、緯糸１重織の構造をなす。また、第１層経糸１１、第２層経糸１２、第３層経糸１３及び第４層経糸１４の順で配置された経糸１０を有する。
更に、第２層経糸１２と第３層経糸１３との間に配置された１本のみのストレート緯糸２５、及び、経糸１０を織り込む屈曲緯糸２１を有する。各糸は各々下記の通りである。
尚、下記樹脂加工とは、いずれも、撚糸にＲＦＬ液（レゾルシン；５重量％、ホルマリン；５重量％、ラッテクス；１４重量％）を付与した後、搬送ローラが設けられたヒートセット・ゾーンとノルマライジング・ゾーンを通過させて行った加工である。
また、下撚りとは、原糸（マルチフィラメント）にかけた撚りである。また、上撚りとは、下撚りした前記原糸を束にして前記下撚りと逆方向にかけた撚りである。即ち、後述する実施例１の第１層経糸１１は、９回／１インチで下撚りしたＰＥＴマルチフィラメントを１５００デニールに束ねたマルチフィラメント３本を下撚りと逆方向に９回／１インチで上撚りした糸を意味する。
【００４７】
第１層経糸１１及び第４層経糸１４（非隣接経糸）；
１５００デニールのＰＥＴマルチフィラメントを３本撚り（撚り数が下撚り９回／１
インチ、上撚り９回／１インチ）したマルチフィラメントを樹脂加工した糸。
第２層経糸１２及び第３層経糸１３（隣接ナイロン経糸）；
線径０．３０ｍｍのナイロンモノフィラメント。
屈曲緯糸２１；
１０００デニールのＰＥＴ甘撚り（撚り数２〜３回／１インチ）のマルチフィラメン
トを樹脂加工した糸。
ストレート緯糸２５；
１０００デニールのＰＥＴマルチフィラメントを３本撚り（撚り数が下撚り９回／１
インチ、上撚り９回／１インチ）してマルチフィラメントを樹脂加工した糸。
【００４８】
（２）シュープレス用ベルト
基布Ａの第１層経糸１１側にウレタンプレポリマーをスプレー塗布し、十分に含浸させた後、ウレタンプレポリマーを加熱硬化させて第１層経糸１１側の樹脂部材を形成した。次いで、第４層経糸１４側にウレタンプレポリマーをスプレー塗布し、十分に含浸させた後、ウレタンプレポリマーを加熱硬化させて第４層経糸１４側の樹脂部材を形成して、シュープレス用ベルトＡ’を得た。
【００４９】
［２］実施例２
実施例２に係るシュープレス用ベルト基布Ｂは、図２に示すように、経４重織、緯糸１重織の構造をなす。また、第１層経糸１１、第２層経糸１２、第３層経糸１３及び第４層経糸１４の順で配置された経糸１０を有する。
更に、第１層経糸１１と第２層経糸１２との間に配置された１本のみのストレート緯糸２５、及び、経糸１０を織り込む屈曲緯糸２１を有する。各糸は各々下記の通りである。尚、下記樹脂加工は実施例１と同様である。更に、基布Ｂを用いて実施例１と同様に樹脂部材を形成してシュープレス用ベルトＢ’を得た。
【００５０】
第１層経糸１２及び第２層経糸（隣接ナイロン経糸）；
線径０．３０ｍｍのナイロンモノフィラメント。
第３層経糸１３及び第４層経糸１４（非隣接経糸）；
１５００デニールのＰＥＴマルチフィラメントを３本撚り（撚り数が下撚り９回／１
インチ、上撚り９回／１インチ）したマルチフィラメントを樹脂加工した糸。
屈曲緯糸２１；
１０００デニールのＰＥＴ甘撚り（撚り数２〜３回／１インチ）のマルチフィラメン
トを樹脂加工した糸。
ストレート緯糸２５；
１０００デニールのＰＥＴマルチフィラメントを３本撚り（撚り数が下撚り９回／１
インチ、上撚り９回／１インチ回）してマルチフィラメントを樹脂加工した糸。
【００５１】
［３］実施例３
実施例３に係るシュープレス用ベルト基布Ｃは、図３に示すように、経４重織、緯糸１重織の構造をなす。また、第１層経糸１１、第２層経糸１２、第３層経糸１３及び第４層経糸１４の順で配置された経糸１０を有する。
更に、第３層経糸１３と第４層経糸１４との間に配置された１本のみのストレート緯糸２５、及び、経糸１０を織り込む屈曲緯糸２１を有する。各糸は各々下記の通りである。尚、下記樹脂加工は実施例１と同様である。更に、基布Ｃを用いて実施例１と同様に樹脂部材を形成してシュープレス用ベルトＣ’を得た。
【００５２】
第１層経糸１２及び第２層経糸（非隣接経糸）；
１５００デニールのＰＥＴマルチフィラメントを３本撚り（撚り数が下撚り９回／１
インチ、上撚り９回／１インチ）したマルチフィラメントを樹脂加工した糸。
第３層経糸１３及び第４層経糸１４（隣接ナイロン経糸）；
線径０．３０ｍｍのナイロンモノフィラメント。
屈曲緯糸２１；
１０００デニールのＰＥＴ甘撚り（撚り数２〜３回／１インチ）のマルチフィラ
メントを樹脂加工した糸。
ストレート緯糸２５；
１０００デニールのＰＥＴマルチフィラメントを３本撚り（撚り数が下撚り９回／１
インチ、上撚り９回／１インチ）してマルチフィラメントを樹脂加工した糸。
【００５３】
［４］実施例４
実施例４に係るシュープレス用ベルト基布Ｄは、実施例３に係る基布Ｃにおいて、第３層経糸１３及び第４層経糸１４をナイロンマルチフィラメントに換えた以外は、実施例３と同様の基布である。樹脂加工については実施例１と同様である。更に、基布Ｄを用いて実施例１と同様に樹脂部材を形成してシュープレス用ベルトＤ’を得た。
【００５４】
第１層経糸１２及び第２層経糸（非隣接経糸）；
１５００デニールのＰＥＴマルチフィラメントを３本撚り（撚り数が下撚り９回／１
インチ、上撚り９回／１インチ）したマルチフィラメントを樹脂加工した糸。
第３層経糸１３及び第４層経糸１４（隣接ナイロン経糸）；
５００デニールのナイロンモノフィラメントを３本撚り（撚り数が下撚り９回／１イ
ンチ、上撚り９回／１インチ）したマルチフィラメント。
屈曲緯糸２１；
１０００デニールのＰＥＴ甘撚り（撚り数２〜３回／１インチ）のマルチフィラ
メントを樹脂加工した糸。
ストレート緯糸２５；
１０００デニールのＰＥＴマルチフィラメントを３本撚り（撚り数が下撚り９回／１
インチ、上撚り９回／１インチ）してマルチフィラメントを樹脂加工した糸。
【００５５】
［５］実施例５
実施例５に係るシュープレス用ベルト基布Ｅは、実施例３に係る基布Ｃにおいて、屈曲緯糸２１をナイロンモノフィラメントに換えた以外は、実施例３と同様の基布である。樹脂加工については実施例１と同様である。更に、基布Ｅを用いて実施例１と同様に樹脂部材を形成してシュープレス用ベルトＥ’を得た。
【００５６】
第１層経糸１２及び第２層経糸（非隣接経糸）；
１５００デニールのＰＥＴマルチフィラメントを３本撚り（撚り数が下撚り９回／１
インチ、上撚り９回／１インチ）したマルチフィラメントを樹脂加工した糸。
第３層経糸１３及び第４層経糸１４（隣接ナイロン経糸）；
線径０．３０ｍｍのナイロンモノフィラメント。
屈曲緯糸２１；
線径０．１５ｍｍのナイロンモノフィラメント
ストレート緯糸２５；
１０００デニールのＰＥＴマルチフィラメントを３本撚り（撚り数が下撚り９回／１
インチ、上撚り９回／１インチ）してマルチフィラメントを樹脂加工した糸。
【００５７】
［６］比較例
比較例に係るシュープレス用ベルト基布Ｆは、図４に示すように、従来タイプの経４重織りである。この基布Ｆを用いて実施例１と同様に樹脂部材を形成してシュープレス用ベルトＦ’を得た。
【００５８】
第１層経糸；５００デニールのＰＥＴマルチフィラメントを３本撚りした糸。
第２層経糸；０．３５ｍｍＰＥＴモノフィラメント。
第３層経糸；３０００デニールのＰＥＴマルチフィラメント。
第４層経糸；０．３５ｍｍナイロンモノフィラメント。
緯糸      ；０．４０ｍｍＰＥＴモノフィラメント。
【００５９】
［６］耐久性評価
（１）耐久性試験
（１−１）クラック進展試験
上記実施例１〜５及び比較例で得られたシュープレス用ベルトＡ’〜Ｆ’を、ＪＩＳ  Ｋ６２６０に定義されるデマッチャ式屈曲試験機を用いて、次の条件でクラック進展性の試験を行なった。試験片のサイズは、幅２０ｍｍ、長さ１５０ｍｍとし、往復運動は、最大距離８０．５ｍｍ、最小距離３８．５ｍｍ、運動距離４２．０ｍｍとした。切り込みは、試験片の長さ方向中央、幅方向一端部外面に、長さ３ｍｍ、深さ１．５ｍｍ入れた。この条件で、１０００回屈曲させた後、亀裂の大きさを実施例１〜５について比較した。結果を、表１の「クラック進展」の欄に示した。
「小」；亀裂の大きさが、３．５ｍｍ未満であった。
「中」；亀裂の大きさが、３．５ｍｍ以上４．０ｍｍ未満であった。
「大」；亀裂の大きさが、４．０ｍｍ以上であった。
【００６０】
（１−２）強伸度試験
耐久性試験には図５に示される中型プレス試験機（自社製）に、５本のステンレスロール５３を介して架け回したシュープレス用ベルト基布Ａ〜Ｅを、図５に示す進行方向に１３１．８ｍ／分の速度で、２５時間走行させた。またこの際、各基布には、ステンレスロール５１とゴムロール５２との間において線圧４０ｋｇ／ｃｍの圧力を加えて走行させた。この結果、上記２５時間後における強伸度、即ち、基布の疲労後の残存強度を株式会社東洋精機製作所製ストログラフＶ１０−Ｄにより測定した。更に、この強伸度を下記基準に従って、評価し、その結果を表１の「耐久試験後の残存強度」の欄に示した。
「○」；強伸度が、１６０ｋＮ／ｍ以上であった。
「△」；強伸度が、１４０ｋＮ／ｍ以上１６０ｋＮ／ｍ未満であった。
「×」；強伸度が、１４０ｋＮ／ｍ未満であった。
【００６１】
（２）耐久性試験の結果
【表１】
2011089229.tif 000003
上記試験結果より、実施例１〜５は、クラック進展試験においては進展が小さく、また強伸度試験については残存強度が高かった。この結果から、いずれも寸法安定性に優れていることが分かる。
【００６２】
尚、本発明においては、上記具体的実施例に示すものに限られず、目的、用途に応じて
種々変更した実施例とすることができる。
【産業上の利用可能性】
【００６３】
本発明のシュープレス用ベルトは、抄紙機の湿紙脱水を目的とするシュープレス装置
において好適に用いられる。
【符号の説明】
【００６４】
Ａ、Ｂ、Ｃ、Ｄ、Ｅ、Ｆ；シュープレス用ベルト基布、Ａ’、Ｂ’、Ｃ’、Ｄ’Ｅ’Ｆ’；シュープレス用ベルト、１０；経糸、１１；第１層経糸、１２；第２層経糸、１３；第３層経糸、１４；第４層経糸、２０；緯糸、２１；屈曲緯糸、２５；ストレート緯糸、３０；樹脂部材、３１；溝部、３１ａ及び３１ｂ；溝底部、３２及び３４；クラック、４１、４２、４５及び４６；交点部。
【図１】
2011089229.tif 000004
【図２】
2011089229.tif 000005
【図３】
2011089229.tif 000006
【図４】
2011089229.tif 000007
【図５】
2011089229.tif 000008
【図６】
2011089229.tif 000009